(57)【要約】【課題】電気工事を必要とせずにシーソースイッチの使い勝手を向上させたり外観を変更したりすることができるスイッチ用ハンドルアダプタを提供する。【解決手段】スイッチ用ハンドルアダプタ１は、既設のスイッチ本体５とともに施工面に取り付けられた化粧プレート８に対して結合されるアダプタ枠２と、アダプタ枠２に対して主ハンドル６の揺動方向に揺動自在に軸支された補助ハンドル３とを備える。補助ハンドル３は、主ハンドル６の両端部に対向する部位に一対の押圧突部３ｄが突設されており、各押圧突部３ｄが夫々主ハンドル６の両端部に当接する。補助ハンドル３の揺動は一対の押圧突部３ｄを介して主ハンドル６の揺動に反映されるので、補助ハンドル３を押圧操作することによりスイッチ本体５を操作できる。【選択図】          図１
2005019136.tif 000002
【特許請求の範囲】
【請求項１】
シーソースイッチからなる既設のスイッチ本体とともに施工面に取り付けられた化粧プレートに対して結合されるアダプタ枠と、アダプタ枠の開口内に配置されアダプタ枠に対してスイッチ本体が備えている主ハンドルの揺動方向に揺動自在となるように軸支された補助ハンドルとを備え、補助ハンドルは、主ハンドルの両端部に対向する部位が夫々主ハンドルに当接していることを特徴とするスイッチ用ハンドルアダプタ。
【請求項２】
前記補助ハンドルは、前記主ハンドルの両端部を結ぶ方向において主ハンドルより大きく形成されていることを特徴とする請求項１記載のスイッチ用ハンドルアダプタ。
【請求項３】
前記アダプタ枠は、前記化粧プレートに対して両面粘着テープを用いて固定されることを特徴とする請求項１または請求項２記載のスイッチ用ハンドルアダプタ。
【請求項４】
前記化粧プレートは、施工面に配設されるベースプレートと、ベースプレートに設けた係合孔に係合する係合爪が背面に突設されベースプレートに着脱自在に結合される表面プレートとからなり、前記アダプタ枠は、前記係合孔に係合する係合爪が背面に突設され表面プレートに代えてベースプレートに対して結合可能であることを特徴とする請求項１または請求項２記載のスイッチ用ハンドルアダプタ。
【請求項５】
前記スイッチ本体は、前記主ハンドルの一部に発光部を備え、前記補助ハンドルは、発光部からの光を透過させる表示窓を備えることを特徴とする請求項１ないし請求項４のいずれか記載のスイッチ用ハンドルアダプタ。
【請求項６】
前記アダプタ枠は、対向する２辺間に架設される反転軸を備え、前記補助ハンドルは、反転軸により軸支されるとともにアダプタ枠の開口内において反転軸の長手方向に２個並設されることを特徴とする請求項１ないし請求項５のいずれか記載のスイッチ用ハンドルアダプタ。
【請求項７】
前記アダプタ枠は、対向する２辺間に架設される反転軸を備え、前記補助ハンドルは、反転軸により軸支されるとともにアダプタ枠の開口内において反転軸の長手方向に３個並設されることを特徴とする請求項１ないし請求項５のいずれか記載のスイッチ用ハンドルアダプタ。
【発明の詳細な説明】
【０００１】
【発明の属する技術分野】
本発明は、壁スイッチ等に使用するシーソースイッチに付加して用いるスイッチ用ハンドルアダプタに関するものである。
【０００２】
【従来の技術】
一般に、壁等の施工面に取り付けられるシーソースイッチは、前面開口の直方体状のスイッチ器体と、操作面がスイッチ器体の開口面から露出するハンドルとを備えている。ハンドルはスイッチ器体に対して揺動自在であり、ハンドルの操作面における前方に突出している一端部を後方に押圧する操作により接点の開閉状態が切り替わる。
【０００３】
ところで、壁スイッチなどに用いられている既設のシーソースイッチの使い勝手を向上させたり外観を変更したりすることが要求されることがある。例えば、ハンドルの操作面の面積がスイッチ器体の前面の面積より小さい既設のシーソースイッチは健全者にとっては操作に不都合がないが、高齢者や身障者にとっては、操作面がやや小さく、操作力もやや大きい場合があり、より操作面の面積が大きいハンドルを用いて、小さい操作力で操作できるシーソースイッチが要求されることもある。このような要求を満たすシーソースイッチとして、図１１に示すように、スイッチ器体１３の前面より面積の大きい操作面を有する操作用のハンドル１４をスイッチ器体１３の前面に突出する結合用のハンドル１５に結合する構造のものが提供されている（例えば、特許文献１参照）。
【０００４】
【特許文献１】
特開２００１−３０７５９６号公報（第５頁、図１）
【０００５】
【発明が解決しようとする課題】
しかし、既設のシーソースイッチを要求に応じた別のシーソースイッチに交換するには、電気工事が必要である。つまり、シーソースイッチの交換作業は、電気工事士の資格を持たない一般の人にとっては、自身での施工が不可能であるのは勿論のこと、施工業者に依頼しなければならないから施工費が必要となって金銭的負担が大きくなってしまう。
【０００６】
本発明は、上記事由に鑑みて為されたものであって、電気工事を必要とせずにシーソースイッチの使い勝手を向上させたり外観を変更したりすることができるスイッチ用ハンドルアダプタを提供することを目的とする。
【０００７】
【課題を解決するための手段】
請求項１の発明は、シーソースイッチからなる既設のスイッチ本体５とともに施工面に取り付けられた化粧プレート８に対して結合されるアダプタ枠２と、アダプタ枠２の開口２ｄ内に配置されアダプタ枠２に対してスイッチ本体５が備えている主ハンドル６の揺動方向に揺動自在となるように軸支された補助ハンドル３とを備え、補助ハンドル３は、主ハンドル６の両端部に対向する部位が夫々主ハンドル６に当接していることを特徴とする。
【０００８】
この発明によれば、既設のスイッチ本体５を交換することなく、補助ハンドル３を付加して主ハンドル６を揺動させることによりスイッチ本体５を操作できるので、電気工事を必要とせずにスイッチ本体５の使い勝手を向上させたり外観を変更したりすることができる。
【０００９】
また、請求項２の発明は、請求項１の発明において、前記補助ハンドル３が、前記主ハンドル６の両端部を結ぶ方向において主ハンドル６より大きく形成されていることを特徴とする。
【００１０】
この発明によれば、主ハンドル６を操作するよりも小さい力で補助ハンドル３を操作できるので、使い勝手が向上し、特に高齢者や身障者でも容易に操作することが可能になる。
【００１１】
また、請求項３の発明は、請求項１または請求項２の発明において、前記アダプタ枠２が、前記化粧プレート８に対して両面粘着テープ１２を用いて固定されることを特徴とする。
【００１２】
この発明によれば、アダプタ枠２を化粧プレート８に対して必要強度で簡単に固定することができる。
【００１３】
また、請求項４の発明は、請求項１または請求項２の発明において、前記化粧プレート８が、施工面に配設されるベースプレート９と、ベースプレート９に設けた係合孔９ａに係合する係合爪１０ｂが背面に突設されベースプレート９に着脱自在に結合される表面プレート１０とからなり、前記アダプタ枠２が、前記係合孔９ａに係合する係合爪３ｅが背面に突設され表面プレート１０に代えてベースプレート９に対して結合可能であることを特徴とする。
【００１４】
この発明によれば、アダプタ枠２の施工面からの突出寸法を、既設の化粧プレート８の施工面からの突出寸法と略等しくすることができるので、小型化することができる。
【００１５】
また、請求項５の発明は、請求項１ないし請求項４のいずれかの発明において、前記スイッチ本体５が、前記主ハンドル６の一部に発光部６ａを備え、前記補助ハンドル３が、発光部６ａからの光を透過させる表示窓３ｆを備えることを特徴とする。
【００１６】
この発明によれば、補助ハンドル３を設けた場合でも、既設のスイッチ本体５に設けられた発光部６ａの表示をそのまま活用することができる。
【００１７】
また、請求項６の発明は、請求項１ないし請求項５のいずれかの発明において、前記アダプタ枠２が、対向する２辺間に架設される反転軸４を備え、前記補助ハンドル３は、反転軸４により軸支されるとともにアダプタ枠２の開口２ｄ内において反転軸４の長手方向に２個並設されることを特徴とする。
【００１８】
この発明によれば、１本の反転軸４を２個の補助ハンドル３で共用しながらも各補助ハンドル３を独立に操作することができるので、１個の化粧プレート８に２個並設されたスイッチ本体５に使用することができる。
【００１９】
また、請求項７の発明は、請求項１ないし請求項５のいずれかの発明において、前記アダプタ枠２が、対向する２辺間に架設される反転軸４を備え、前記補助ハンドル３は、反転軸４により軸支されるとともにアダプタ枠２の開口２ｄ内において反転軸４の長手方向に３個並設されることを特徴とする。
【００２０】
この発明によれば、１本の反転軸４を３個の補助ハンドル３で共用しながらも各補助ハンドル３を独立に操作することができるので、１個の化粧プレート８に３個並設されたスイッチ本体５に使用することができる。
【００２１】
【発明の実施の形態】
以下、本発明の実施の形態を図面を参照して説明する。実施形態中の上下、左右、前後は、説明を容易にするために、シーソースイッチを壁等の施工面に取り付けた際に正面から見た方向とするが、本発明の取付方向を限定する趣旨ではない。
【００２２】
（実施形態１）
本実施形態のスイッチ用ハンドルアダプタは、従来構成で示したスイッチ器体の前面より操作面の小さいハンドルを備えた既設のシーソースイッチ（以下「スイッチ本体」と称する）とともに壁等の施工面に取り付けることにより、スイッチ本体のハンドルよりも大型の操作面を有するハンドルを用いてスイッチ本体の操作を可能とするものであって、両ハンドルを区別するために、スイッチ本体のハンドルを主ハンドルと呼び、スイッチ用ハンドルアダプタのハンドルを補助ハンドルと呼ぶ。
【００２３】
本実施形態で例示するスイッチ本体５は、図２に示すように、「ＪＩＳ  Ｃ８３０４」で規格化された１個モジュール寸法のスイッチであり、壁等の施工面に取付枠７を用いて取り付けられる。この取付枠７は、「ＪＩＳ  Ｃ８３７５」で規格化された大角形連用配線器具の取付枠であり、取付枠７の前面には前方に主ハンドル６の操作面を露出させる形で化粧プレート８が覆着されている。
【００２４】
図２に示す取付枠７は、金属製で上下方向に長い矩形枠状であり、矩形状に開口した取付窓７ａにおける左右の側縁から夫々互いに近づく向きに突出する２個１組の固定突片７ｂが上下方向に３組列設されており、一対の固定突片７ｂをスイッチ本体５の左右両側面に形成された固定凹部５ａに挿入する形で取付窓７ａ内にスイッチ本体５を固定している。また、取付枠７の上下両端部には施工用透孔７ｃと挟み金具用孔７ｄと取付ねじ孔７ｅとが夫々貫設されており、施工面への取付枠７の取付にあたっては、施工面に埋設された埋込ボックス（図示せず）に施工用透孔７ｃを通してボックス用ねじ（図示せず）を螺合させる。また、挟み金具用孔７ｄに挟み金具（図示せず）の一部を係止させて、挟み金具に施工用透孔７ｃを通して螺合する挟み用ねじ（図示せず）を締め付けることによって、取付枠７と挟み金具との間に施工面の一端部を挟持することもできる。
【００２５】
一方、化粧プレート８は、上下方向に長い矩形枠状のベースプレート９と、ベースプレート９の前面に覆着される表面プレート１０とで構成される。ベースプレート９は、左右両側部に夫々複数個（図では３個）ずつの係合孔９ａが各側縁に沿って形成されており、上下両端部には取付透孔９ｂが貫設されている。取付透孔９ｂを通して化粧プレート用ねじ１１を取付枠７の取付ねじ孔７ｅに螺着することにより、ベースプレート９が取付枠７に固定される。表面プレート１０は、係合孔９ａ内に引っ掛かるように形成された係合爪１０ｂが背面の各係合孔９ａに対応する位置に突設されており、係合爪１０ｂを係合孔９ａに係合させることによりベースプレート９に着脱自在に結合される。さらに、表面プレート１０は、主ハンドル６の操作面を前方に露出させる開口窓１０ａが前面に開口している。
【００２６】
ところで、本実施形態のスイッチ用ハンドルアダプタ１は、図３に示すように、上下方向に長い矩形枠状の前面板２ａと前面板２ａの外周縁の全周にわたって後方に突設された側板２ｂとで形成されるアダプタ枠２と、前面を操作面３ａとし前面板２ａに形成した開口２ｄ内に収まる板状の補助ハンドル３と、補助ハンドル３をアダプタ枠２に回動自在に軸支する反転軸４とで構成される。アダプタ枠２は、前面板２ａの上下左右の寸法と側板２ｂの突出方向の寸法とが、前面板２ａと側板２ｂとで囲まれた部位に化粧プレート８が収まるように形成されている。ここで、アダプタ枠２の内寸は化粧プレート８の外寸に略一致させるのが望ましい。アダプタ枠２の上下両側板２ｂにおける左右方向の中央部には、反転軸４の両端部が夫々圧入保持される軸受孔２ｃが形成されている。また、補助ハンドル３の左右方向の中央部には、反転軸４の径より大きく反転軸４に対して補助ハンドル３を回動可能とする軸挿入孔３ｃが上下方向に貫設されている。さらに、図４に示すように、補助ハンドル３の背面における反転軸４の左右両側方には、夫々補助ハンドル３の上下両端間にわたって押圧突部３ｄが突設されている。一対の押圧突部３ｄは、スイッチ用ハンドルアダプタ１を施工面に取り付けた状態で、主ハンドル６の操作面に当接するように突出寸法が設定され、且つ主ハンドル６において押圧操作される各部位に夫々当接するように左右の距離が設定されている。
【００２７】
スイッチ用ハンドルアダプタ１を使用するにあたっては、図１に示すように、アダプタ枠２の背面を既設の化粧プレート８の前面に対向させ且つ前面板２ａと側板２ｂとで囲まれた部位に既設のスイッチ本体５および化粧プレート８を収める形で配置する。さらに、スイッチ用ハンドルアダプタ１を化粧プレート８に対して固定するために、アダプタ枠２の前面板２ａの背面に全周にわたって貼り付けた両面粘着テープ１２を化粧プレート８の前面に貼着する。
【００２８】
補助ハンドル３の背面に突設された各押圧突部３ｄは、図１に２点鎖線で示すように、主ハンドル６の左右両端部に夫々当接するので、補助ハンドル３の操作面３ａの右端部を後方に押圧することにより押圧突部３ｄが主ハンドル６の右端部を後方に移動させ、補助ハンドル３の操作面３ａの左端部を後方に押圧することにより押圧突部３ｄが主ハンドル６の左端部を後方に移動させることができる。
【００２９】
すなわち、既設の化粧プレート８にアダプタ枠２を結合することにより補助ハンドル３を介して主ハンドル６を操作できるので、上述したように電気工事を必要とせずに主ハンドル６の形状を補助ハンドル３の形状に変更できる。
【００３０】
ところで、既設のスイッチ本体５は、図５に示すように、１個の化粧プレート８に対して上下方向に２個並設される場合がある。この場合には、図６に示す構成を採用することにより、スイッチ本体５が１個の場合と同様に機能させることができる。図６に示すスイッチ用ハンドルアダプタ１は、上述した補助ハンドル３を上下方向に２分割したものであって、各補助ハンドル３はアダプタ枠２に対して夫々独立に回動可能に取り付けられている。同様に、図７に示すように、１個の化粧プレート８に対してスイッチ本体５を上下方向に３個並設している場合には、図８に示す構成を採用することにより、スイッチ本体５が１個の場合と同様に機能させることができる。図８のスイッチ用ハンドルアダプタ１は、図１に示した補助ハンドル３を上下方向に３分割したものであり、各補助ハンドル３はアダプタ枠２に対して夫々独立に回動可能に取り付けられている。ここに、スイッチ本体５を３個並設している場合には上下方向に隙間がないので、各補助ハンドル３の押圧突部３ｄが隣合う２個のスイッチ本体３に跨って当接することがないように、各押圧突部３ｄの上下方向の寸法を主ハンドル６の上下方向の寸法と略等しく形成する。
【００３１】
（実施形態２）
本実施形態のスイッチ用ハンドルアダプタ１は、図９に示すように、アダプタ枠２の前面板２ａの背面において化粧プレート８を構成するベースプレート９の係合孔９ａ内に引っ掛かるように形成された係合爪３ｅが各係合孔９ａに対応する位置に突設されている点が実施形態１と相違する。
【００３２】
スイッチ用ハンドルアダプタ１は、化粧プレート８において表面プレート１０を外した状態で、係合爪３ｅをベースプレート９の係合孔９ａに係合させることによりベースプレート９に着脱自在に結合される。実施形態１のスイッチ用ハンドルアダプタ１は、アダプタ枠２を既設の化粧プレート８に覆着して使用されるので施工面からの突出寸法が既設の化粧プレート８に比べて大きかったが、本実施形態では、スイッチ用ハンドルアダプタ１を取り付けた状態で、壁等の施工面からの突出寸法を既設の化粧プレート８と略等しくすることができる。同様に、前面板２ａの面積についても、既設の化粧プレート８の前面の面積と略等しくすることができるから、面積の増加がない。その結果、実施形態１の構成よりも小型化できる。その他の構成および機能は実施形態１と同様である。
【００３３】
（実施形態３）
ところで、既設のスイッチ本体５には、図１０に示すような、例えば接点の開閉状態を点灯に反映して表示するような発光部６ａを主ハンドル６に備えているものがある。本実施形態のスイッチ用ハンドルアダプタ１は、このような発光部６ａを備えるスイッチ本体５に使用する場合に発光部６ａの表示をそのまま活用するために、図１０に示すように、補助ハンドル３に透明または半透明の合成樹脂製の表示窓３ｆを設けた点が実施形態１と相違する。
【００３４】
スイッチ用ハンドルアダプタ１は、上述したような発光部６ａを備えるスイッチ本体５に使用する場合に、前方から見て表示窓３ｆが発光部６ａと重なるように表示窓３ｆを配置している。したがって、表示窓３ｆは発光部６ａからの光を前方に透過させるので、発光部６ａの機能を利用して接点の開閉状態等を表示することができる。なお、表示窓３ｆは、図１０のように前方から見て発光部６ａと重なる部位に配置されるものに限らず、補助ハンドル３の背面における発光部６ａに対向する部位から補助ハンドル３の前面までの光路を確保するものであればよい。その他の構成および機能は実施形態１と同様である。
【００３５】
なお、上述した各実施形態では、補助ハンドル３として主ハンドル６より操作面の大きいものを採用したが、補助ハンドル３として必要に応じた形状のものを採用することができる。
【００３６】
【発明の効果】
以上説明したように、本発明では、既設のスイッチ本体を施工面から取り外すことなくアダプタ枠を化粧プレートに結合するだけで、補助ハンドルを介して主ハンドルを揺動させることによりスイッチ本体を操作できるので、電気工事を必要とせずにスイッチ本体の使い勝手を向上したり外観を変更したりすることができる。
【図面の簡単な説明】
【図１】本発明の実施形態１の使用例を示す分解斜視図である。
【図２】同上を使用するスイッチ本体と化粧プレートとの関係を示す分解斜視図である。
【図３】同上を示し、（ａ）は分解斜視図、（ｂ）は斜視図である。
【図４】同上を示し、（ａ）は正面図、（ｂ）は側面図、（ｃ）は背面図、（ｄ）は上面図である。
【図５】同上の他の構成の使用例を示す分解斜視図である。
【図６】図５に用いた構成を示し、（ａ）は正面図、（ｂ）は側面図、（ｃ）は背面図、（ｄ）は上面図である。
【図７】同上のさらに他の構成の使用例を示す分解斜視図である。
【図８】図７に用いた構成を示し、（ａ）は正面図、（ｂ）は側面図、（ｃ）は背面図、（ｄ）は上面図である。
【図９】本発明の実施形態２の使用例を示す分解斜視図である。
【図１０】本発明の実施形態３の使用例を示す分解斜視図である。
【図１１】従来例を示す分解斜視図である。
【符号の説明】
１  スイッチ用ハンドルアダプタ
２  アダプタ枠
２ｄ  開口
３  補助ハンドル
３ｅ  係合孔
３ｆ  表示窓
４  反転軸
５  スイッチ本体
６  主ハンドル
６ａ  発光部
８  化粧プレート
９  ベースプレート
９ａ  係合孔
１０  表面プレート
１０ｂ  係合孔
１２  両面粘着テープ
【図１】
2005019136.tif 000003
【図２】
2005019136.tif 000004
【図３】
2005019136.tif 000005
【図４】
2005019136.tif 000006
【図５】
2005019136.tif 000007
【図６】
2005019136.tif 000008
【図７】
2005019136.tif 000009
【図８】
2005019136.tif 000010
【図９】
2005019136.tif 000011
【図１０】
2005019136.tif 000012
【図１１】
2005019136.tif 000013